(57)【要約】【課題】多数のレンズから構成されるズームレンズを撮影レンズとして用いた場合でも、非撮影時にはレンズを沈胴させてカメラの厚さを従来より更に薄くすることができるカメラ。【解決手段】少なくとも撮影レンズ及び撮像素子からなる光学部材により撮影光学系を構成し、被写体光を前記撮影レンズにより前記撮像素子に結像させるカメラにおいて、非撮影時には、前記撮影レンズを構成するレンズの中の所定のレンズを光軸と平行な面で二分割し、二分割したレンズの間に前記撮影光学系を構成する他の光学部材を位置させること。【選択図】        図２
2004341401.tif 000002
【特許請求の範囲】
【請求項１】
少なくとも撮影レンズ及び撮像素子からなる光学部材により撮影光学系を構成し、被写体光を前記撮影レンズにより前記撮像素子に結像させるカメラにおいて、
非撮影時には、前記撮影レンズを構成するレンズの中の所定のレンズを光軸と平行な面で二分割し、二分割したレンズの間に前記撮影光学系を構成する他の光学部材を位置させることを特徴とするカメラ。
【請求項２】
非撮影時には、前記所定のレンズより前記撮像素子の側に配置した支軸を中心に回動させて、前記所定のレンズを光軸を含む光軸と平行な面で二分割することを特徴とする請求項１に記載のカメラ。
【請求項３】
前記所定のレンズが前記撮影レンズを構成する第１レンズ群であり、二分割した第１レンズ群の間に第２レンズ群を位置させることを特徴とする請求項１又は請求項２に記載のカメラ。
【請求項４】
前記所定のレンズにおける分割面が黒色艶消し塗装されていることを特徴とする請求項１〜３の何れか１項に記載のカメラ。
【請求項５】
前記分割面により劣化した画像を補正する画像処理回路を備えたことを特徴とする請求項４に記載のカメラ。
【請求項６】
前記劣化した画像が光量不足の画像であることを特徴とする請求項５に記載のカメラ。
【発明の詳細な説明】
【０００１】
【発明の属する技術分野】
本発明は、被写体光を撮影レンズにより撮像素子に結像させるカメラに関する。
【０００２】
【従来の技術】
近年、被写体光を撮影レンズによりＣＣＤ等の撮像素子に結像させ、撮像素子により光電変換した後に種々の画像処理を行って画像信号に変換し、この画像信号をＩＣカード等にデジタル記録するデジタルカメラが急速に普及している。
【０００３】
デジタルカメラは、銀塩フィルムを用いる従来のカメラ、即ちフィルムカメラと比較して、被写体光が結像する画面寸法が小さい。また、フィルムカメラに必要なフィルムを収納したパトローネを装填することや、フィルムを給送することは、デジタルカメラには不要である。このような要因により、近年はフィルムカメラと比較してより小型に形成されたデジタルカメラが多数販売されている。
【０００４】
デジタルカメラにおいても、より多くの撮影条件に対応できるように、ズームレンズを備えたものが多数市販されている。しかし、ズームレンズの光学系はレンズ枚数が多くて大型化するので、ズームレンズを備えるとカメラ本体からズームレンズが大きく突出してしまって、非撮影時に携帯性が非常に良くない。そこで、フィルムカメラと同様に、非撮影時にはズームレンズを沈胴させてカメラの厚みを薄くする構成が採用されている。
【０００５】
この一例を図７及び図８に示す。図７は撮影時のズームレンズ鏡胴の図、図８は非撮影時のズームレンズ鏡胴の図である。
【０００６】
本ズームレンズの光学系は、第１レンズ群Ｌ１、第２レンズ群Ｌ２、第３レンズ群Ｌ３、ローパスフィルタ２及び撮像素子１から成る。鏡胴の作動については省略するが、撮影時には図７に示す如く第１レンズ群Ｌ１及び第２レンズ群Ｌ２が突出しているが、非撮影時には図８に示す如く第１レンズ群Ｌ１及び第２レンズ群Ｌ２が第３レンズ群Ｌ３の近傍まで後退し、鏡胴は沈胴している。
【０００７】
しかし、フィルムカメラの場合には結像面に薄いフィルムがあるのみなので、ズームレンズをフィルムに接近させて沈胴させれば薄型化が達成できるが、デジタルカメラの場合には結像面にはある程度の厚みがあるローパスフィルタ２や撮像素子１が配置されるので、充分に沈胴させて薄型化することは困難である。従って、従来のデジタルカメラにおいては、非撮影時には更に薄型化してポケット等に収納したいというユーザーの要望に応えるには未だ充分でなかった。
【０００８】
そこで、このようなデジタルカメラにおいても薄型化を達成することを目的とした提案が種々になされている。
【０００９】
例えば、撮像素子の結像面が撮影レンズの光軸と平行になるようにローパスフィルタや撮像素子を撮影レンズの側方に配置し、撮影時には撮影レンズの後方に配置した反射鏡にて被写体光を９０度の角度で反射させて撮像素子に結像させ、非撮影時には反射鏡を回動させて後退させ、反射鏡が位置していた空間に撮影レンズを後退させるカメラがある。（特許文献１，２参照）
また、非撮影時には、撮像素子を撮影レンズの光軸と直交する方向に退避させ、撮像素子が位置していた空間に撮影レンズを沈胴させるカメラがある。
【００１０】
【特許文献１】
特開平１０−２０６９６５号公報
【００１１】
【特許文献２】
特開平１１−３０５３１２号公報
【００１２】
【特許文献３】
特開平１１−４３７１号公報
【００１３】
【発明が解決しようとする課題】
特許文献１，２の如き構成では、ローパスフィルタや撮像素子の厚みと反射鏡の厚みの差分だけは従来より深く沈胴させることが可能である。しかし、撮影レンズにズームレンズを用いた場合にはレンズ枚数が多く、非撮影時にこのように沈胴させたとしてもレンズの厚みのためにカメラの厚さを充分に薄くすることは困難である。
【００１４】
特許文献３の構成では、反射鏡を用いずにローパスフィルタと撮像素子を側方に移動させるので、ローパスフィルタと撮像素子の厚みだけは従来より深く沈胴させることが可能である。しかし、この場合でも前述と同様に非撮影時に、レンズの厚みのためにカメラの厚さを充分に薄くすることは困難である。また、撮像素子を光軸に対して挿脱するために、非常に高精度の駆動機構を必要とする。
【００１５】
本発明はかかる問題に鑑みてなされたものであり、多数のレンズから構成されるズームレンズを撮影レンズとして用いた場合でも、非撮影時にはレンズを沈胴させてカメラの厚さを従来より更に薄くすることができるカメラを提案することを目的とする。
【００１６】
【課題を解決するための手段】
上記目的は下記の手段により達成される。
【００１７】
少なくとも撮影レンズ及び撮像素子からなる光学部材により撮影光学系を構成し、被写体光を前記撮影レンズにより前記撮像素子に結像させるカメラにおいて、非撮影時には、前記撮影レンズを構成するレンズの中の所定のレンズを光軸と平行な面で二分割し、二分割したレンズの間に前記撮影光学系を構成する他の光学部材を位置させることを特徴とするカメラ。
【００１８】
【発明の実施の形態】
先ず、本発明のカメラにおける代表的なレンズ鏡胴の実施の形態を図１及び図２を参照して詳細に説明する。図１はレンズ鏡胴を突出させた断面図、図２はレンズ鏡胴を沈胴させた断面図である。
【００１９】
本レンズ鏡胴における光学系において、撮影レンズは第１レンズ群Ｌ１、第２レンズ群Ｌ２及び第３レンズ群Ｌ３よりなりズームレンズを構成しており、第３レンズ群Ｌ３の後方にはローパスフィルタ２及び撮像素子１が配置されている。
【００２０】
なお、撮像素子１はＣＣＤ等の固体撮像素子であり、受光面に結像した被写体光を光電変換して所定の画像処理回路に供する。
【００２１】
ローパスフィルタ２は撮像素子１に入射する被写体光における空間周波数の高い不要成分を除去する。また、ローパスフィルタ２に、赤外光を除去する赤外カットフィルタ等を組み合わせてもよい。
【００２２】
また、第１レンズ群Ｌ１及び第２レンズ群Ｌ２は光軸Ｏの方向に移動することによって変倍動作を行い、第３レンズ群Ｌ３は光軸Ｏの方向に移動することによって合焦動作を行う。
【００２３】
次に、各鏡胴について説明する。
１１は固定胴であり、不図示のカメラ本体に固定される。
【００２４】
固定胴１１の内側には第１回転胴１２が配置されている。第１回転筒１２は、固定胴１１の内周壁に設けたカム溝１１ａと係合するカムピン１２ａと、第１回転筒１２を回転駆動させるための大歯車１２ｂとを外周壁に有している。
【００２５】
第１回転筒１２の内側には第１直進筒１３が配置され、第１直進筒１３は直進板１４と係合し、且つ、第１回転筒１２、第１直進筒１３及び直進板１４は一体的に組み立てられている。固定胴１１には光軸Ｏと平行に長溝が形成されていて、この長溝に直進板１４の外周の一部が係合している。従って、第１回転筒１２が回転しながら光軸Ｏの方向に移動したときでも、第１直進筒１３は直進板１４によって回転せずに直進移動のみを行って、第１回転筒１２、第１直進筒１３及び直進板１４は一体の状態で移動する。
【００２６】
第１直進筒１３の内側には第２回転筒１５が配置され、第２回転筒１５の外周壁にカムピン１５ａが立設している。カムピン１５ａは第１直進筒１３に設けたカム溝１３ａと係合すると共に、第１直進筒１３の外周壁より突出していて、第１回転筒１２の内周壁に設けたカム溝１２ｃとも係合している。そして、第２回転筒１５は第１回転筒１２の回転によって回転すると共に、第１直進筒１３のカム溝１３ａによって光軸方向に進退する。
【００２７】
第２回転筒１５の内側には第２直進筒１６及び第３直進筒１７が配置され、第２直進筒１６は第１レンズ群Ｌ１を保持する不図示の鏡枠と係合し、第３直進筒１７は第２レンズ群Ｌ２を保持する不図示の鏡枠と一体的に形成されている。第２直進筒１６の外周壁にはカムピン１６ａが突出していて第２回転筒１５の内周壁に設けたカム溝１５ｂと係合し、第３直進筒１７の外周壁にはカムピン１７ａが突出していて第２回転筒１５の内周壁に設けたカム溝１５ｃと係合している。
【００２８】
一方、第２回転筒１５の後部には第４直進筒１８が一体的に組み立てられている。そして、第４直進筒１８の外端１８ａが第１直進筒１３の内周壁に光軸Ｏと平行に形成された長溝と係合し、且つ、第４直進筒１８は第３直進筒１７の内周壁に光軸Ｏと平行に形成された長溝とも係合している。従って、第２回転筒１５が回転移動しても第４直進筒１８は回転せずに第２回転筒１５に追随して直進移動のみを行う。
【００２９】
また、第４直進筒１８の先端部と、第２直進筒１６の内周壁に光軸Ｏと平行に形成された長溝の後端部とが光軸Ｏの方向に係合している。
【００３０】
従って、第２回転筒１５が回転したときにも第４直進筒１８は回転せず、第４直進筒１８によって第３直進筒１７も回転せず、更に第４直進筒１８によって第２直進筒１６も回転しない。そして、第２直進筒１６はカム溝１５ｂの軌跡に応じて直進移動を行い、第３回転筒１７はカム溝１５ｃの軌跡に応じて直進移動を行う。
【００３１】
次に、レンズ鏡胴の動作を説明する。
図１は光学系が広角の状態になっている図であるが、望遠に変倍するためにはカメラ本体に設けた不図示のズームスイッチを作動させると、不図示の鏡胴モータが回転して連結した不図示の減速歯車群が回転し、この減速歯車群の末端の歯車が第１回転筒１２の大歯車１２ｂと歯合しているので、第１回転筒１２が回転する。
【００３２】
第１回転筒１２が回転すると、第１回転筒１２は固定胴１１のカム溝１１ａによって回転しながら光軸Ｏの方向に移動する。しかし、第１回転筒１２と一体に組み立てられている第１直進筒１３は直進板１４によって回転することがなく、光軸Ｏの方向に直進移動のみを行う。第１回転筒１２が回転すると、カムピン１５ａに駆動力が伝達されて第２回転筒１５が回転し、第２回転筒１５の第１直進筒１３に対する光軸Ｏ方向への移動量は第１直進筒１３に設けたカム溝１３ａによって決定される。
【００３３】
更に、第２回転筒１５が回転すると、第４直進筒１８によって回転が規制されている第２直進筒１６及び第３直進筒１７は、各々カムピン１６ａとカム溝１５ｂの係合、及びカムピン１７ａとカム溝１５ｃの係合によって光軸Ｏの方向に直進移動して、第１レンズ群Ｌ１及び第２レンズ群Ｌ２は互いの群間距離を変化させながら光軸Ｏの方向に直進移動し、光学系は望遠状態に変倍する。
【００３４】
ここで、被写体光は第１レンズ群Ｌ１、第２レンズ群Ｌ２、第３レンズ群Ｌ３及びローパスフィルタ２を通過して、撮像素子１に結像する。
【００３５】
なお、合焦動作は不図示のフォーカスモータによって第３レンズ群Ｌ３を光軸Ｏの方向に移動させて行う。即ち、光軸Ｏと平行に設けた複数のシャフトに第３レンズ群Ｌ３の不図示の鏡枠の端部を係合させ、そのシャフトの一本に雄ネジを設けて該鏡枠に設けた雌ネジと嵌合させ、該シャフトをフォーカスモータによって回転させることにより第３レンズ群Ｌ３を光軸Ｏの方向に移動させる。
【００３６】
非撮影状態とするには、不図示のメインスイッチをオフにすると、鏡胴モータが逆転して、広角の状態から望遠の状態にするときとは逆方向に第１回転筒１２が回転する。すると、各鏡筒は前述の変倍動作と同様に作動し、固定胴１１、第１直進筒１３及び第２回転筒１５のカム溝によって各鏡筒は後退する。第１レンズ群Ｌ１及び第２レンズ群Ｌ２は互いの群間距離を狭めながら後退し、後述する構成によって図２の如く第１レンズ群Ｌ１は光軸Ｏを含む光軸Ｏと平行な面で半レンズ群Ｌ１１と半レンズ群Ｌ１２とに二分割され、半レンズ群Ｌ１１，Ｌ１２は支軸２６を中心に回転して光軸Ｏから互いに離間する。従って非撮影時には、離間した半レンズ群Ｌ１１と半レンズ群Ｌ１２の間に第２レンズ群Ｌ２が挿入され、更に第２レンズ群Ｌ２は第３レンズ群Ｌ３に近接する。
【００３７】
この結果、従来のデジタルカメラより薄く沈胴させることができ、非撮影時により携帯性が向上するデジタルカメラを実現することができる。
【００３８】
なお、図２の非撮影状態から図１の撮影状態にするときは、鏡胴モータを正転させて、広角の状態から望遠の状態にするときと同様に第１回転筒１２を回転させればよい。
【００３９】
次に、非撮影時に第１レンズ群Ｌ１を半レンズ群Ｌ１１と半レンズ群Ｌ１２とに二分割する構成の一例を図３乃至図５を参照して説明する。
【００４０】
図３は第１レンズ群Ｌ１を分割する過程を示す側面図であり、半レンズ群Ｌ１１，Ｌ１２は図３（ａ）から図３（ｂ）、図３（ｃ）に進むに従って大きく離間している。図４は図３（ａ）に対応する上面図、図５は図４の左方から見た正面図である。
【００４１】
先ず、第１レンズ群Ｌ１を分割する部材の構成を説明する。
半レンズ群Ｌ１１は鏡枠２１に保持され、半レンズ群Ｌ１２は鏡枠２２に保持されている。鏡枠２１の両側壁には回転レバー２３が固着され、鏡枠２２の両側壁には回転レバー２４が固着されている。一方、二つの駆動部材２５が第２直進筒１６より光軸Ｏの方向に突出して、第２直進筒１６と一体的に組み立てられていて、二つの駆動部材２５の先端に各々設けた支軸２６に、回転レバー２３，２４に設けた孔が嵌合している。従って、回転レバー２３，２４は支軸２６を中心に回動可能であり、即ち、鏡枠２１，２２は支軸２６を中心に回動可能である。しかし、回転レバー２３には反時計方向に付勢した不図示のバネが掛けられており、回転レバー２４には時計方向に付勢した不図示のバネが掛けられている。このために、通常は鏡枠２１，２２が互いに当接し、半レンズ群Ｌ１１，Ｌ１２は光軸Ｏに沿って各々の分割面Ｌ１１ａ，Ｌ１２ａが密着して一体となり、第１レンズ群Ｌ１が形成される。
【００４２】
回転レバー２３，２４の後端には図３の紙面垂直方向に駆動ピン２３ａ，２３ｂが各々立設していて、駆動ピン２３ａ，２３ｂの後方には不図示のカメラ本体若しくはカメラ本体に固着された部材より形成され常に固定されている壁部２８が配置されている。
【００４３】
次に、第１レンズ群Ｌ１を分割する作動を説明する。
撮影時には、図１を参照して説明した如く、第２直進筒１６が進退し、これに伴って二つの駆動部材２５及び支軸２６も光軸Ｏの方向に進退する。回転レバー２３，２４に掛けられている不図示のバネによって鏡枠２１，２２は互いに当接し、半レンズ群Ｌ１１，Ｌ１２は各々の分割面Ｌ１１ａ，Ｌ１２ａで密着した状態になって、第２直進筒１６に伴って進退する。
【００４４】
従って、撮影時には半レンズ群Ｌ１１，Ｌ１２によって被写体側から見て円形の第１レンズ群Ｌ１が形成され、通常の撮影が可能になる。
【００４５】
非撮影時には、第２直進筒１６は他の鏡筒と共に撮像素子１の方向に後退する。これにより、駆動部材２５を介して支軸２６も後退し、回転レバー２３，２４、鏡枠２１，２２及び半レンズ群Ｌ１１，Ｌ１２も後退する。そして、第２直進筒１６が所定位置まで後退すると、回転レバー２３，２４の駆動ピン２３ａ，２３ｂが壁部２８に当接する。なおも第２直進筒１６が後退すると、駆動ピン２３ａ，２３ｂが壁部２８に当接した状態で支軸２６が進退するので、図３（ｂ）に示す如く回転レバー２３が時計方向に回動し、回転レバー２４が反時計方向に回動するので、鏡枠２１，２２及び半レンズ群Ｌ１１，Ｌ１２は互いに離間する。そして、最終的には図３（ｃ）及び図２に示す如く、半レンズ群Ｌ１１，Ｌ１２は互いに大きく離間して、半レンズ群Ｌ１１，Ｌ１２の間に第２レンズ群Ｌ２が挿入した状態になって各鏡筒の作動が停止する。
【００４６】
なお、図１の如き撮影状態より図２の如き非撮影状態の方が、第２直進筒１６の先端部１６ｂと支軸２６との距離が狭まって、第２直進筒１６は撮像素子１に向かって充分に沈胴している。この動作が可能なように、駆動部材２５は弾性を有する弾性部２５ａを有し、非撮影状態では図３に示す如く駆動部材２５は湾曲している。但し、弾性部２５ａの弾性力は回転レバー２３，２４に掛けたバネの付勢力より強いので、撮影時に弾性部２５ａが湾曲することはない。
【００４７】
また、回転レバー２３，２４に各々掛かっている二つのバネによる付勢力が少しでも異なると、半レンズ群Ｌ１１，Ｌ１２により一体になった第１レンズ群Ｌ１が光軸Ｏに対してチルトしてしまい、光学性能が劣化する。そこで、回転レバー２３の側面より保持ピン２３ａを突出させ、且つ、駆動部材２５より保持部２５ｂを光軸Ｏと平行に突出させると、撮影時には回転レバー２３に掛かっているバネの付勢力によって保持ピン２３ａが保持部２５ｂに当接する。この結果、保持部２５ｂにより回転レバー２３と共に鏡枠２１及び半レンズ群Ｌ１１はチルトのない正規な位置に保持される。また、回転レバー２４に掛かっているバネによって半レンズ群Ｌ１２は半レンズ群Ｌ１１と逆方向に付勢されているので、半レンズ群Ｌ１２の分割面Ｌ１２ａが半レンズ群Ｌ１１の分割面Ｌ１１ａに当接して同様にチルトのない正規な位置に保持される。なお、回転レバー２３に掛かっているバネより回転レバー２４に掛かっているバネの方が弱い付勢力に形成されているので、半レンズ群Ｌ１２が半レンズ群Ｌ１１を押圧して共にチルトするようなことは生じない。
【００４８】
ここで、撮影時には半レンズ群Ｌ１１，Ｌ１２の分割面Ｌ１１ａ，Ｌ１２ａが密着して第１レンズ群Ｌ１を形成しているが、斜光線が分割面Ｌ１１ａ，Ｌ１２ａで反射して、フレアの原因となる恐れがある。そこで、分割面Ｌ１１ａ，Ｌ１２ａには黒色艶消し塗装を施すことが望ましい。
【００４９】
しかし、この黒色艶消し塗装によって有害なフレアは防止できても、画像が劣化する恐れがある。具体的には、必要な光線の入射が妨げられて、撮像素子に入射する光量が減少することである。そこで、画像の劣化、具体的には光量減少を画像処理によって補うこととする。
【００５０】
このような画像処理を図６を参照して説明する。図６はデジタルカメラの構成を示すブロック図である。
【００５１】
撮影レンズ３１により被写体の光学像が結像された撮像素子３２は、光学像に対応する電荷量に変換する、所謂光電変換を行う。Ａ／Ｄ変換回路３３は、撮像素子３２から入力されたアナログ信号をデジタル信号に変換して出力する。Ａ／Ｄ変換回路３３を介して得られた画像データは、一旦、画像用メモリ３４に記憶される。
【００５２】
画像用メモリ３４に記憶された画像データは、ＭＰＵ３５によって各種の画像処理が施され、最終的にはＭＰＵ３５に接続されたメモリカード等の不揮発性メモリ３６に記憶される。なお、黒色艶消し塗装によって減少した光量を補正するのもＭＰＵ３５によって行われるが、光量の減少を補正する補正量は撮影レンズ３１の焦点距離、Ｆ値及び撮影距離の撮影条件によって異なるので、これらの撮影条件に対する補正量をテーブルとしてＭＰＵ３５のメモリに記憶しておき、撮影の度にテーブルを参照して光量を補正するようにすればよい。
【００５３】
また、ＭＰＵ３５は、内蔵電池等の電源３７から電力供給され、インターフェイス３８を介して外部と通信できる。
【００５４】
また、ＭＰＵ３５は、レリーズボタン４０からのレリーズ信号を受信して不図示のシャッタ装置を駆動する。
【００５５】
更に、ＭＰＵ３５は、液晶モニタ等の画像表示装置３９を駆動制御して、撮影済みの画像や撮影直後の画像の表示を行わせる。そして、ＭＰＵ３５は、コマ送りボタン３１ａ，３１ｂの押圧信号を受信して、画像表示装置３９に表示された画像をコマ送りする。
【００５６】
なお、以上の構成においては、二分割した第１レンズ群Ｌ１の間に第２レンズ群Ｌ２を位置させるようにしたが、場合によっては第１レンズ群Ｌ１と第２レンズ群Ｌ２を二分割し、この間に第３レンズ群Ｌ３や撮像素子１を位置させるようにしてもよい。
【００５７】
また、光軸Ｏに対して第１レンズ群Ｌ１を分割する方向は、カメラを前方から見た場合に上下左右のどの方向であってもよい。
【００５８】
また、撮影レンズは必ずしもズームレンズである必要はなく、単焦点レンズであってもよい。
【００５９】
【発明の効果】
本発明のカメラによれば、多数のレンズから構成されるズームレンズを撮影レンズとして用いた場合でも、非撮影時にはレンズを沈胴させてカメラの厚さを従来より更に薄くすることができるという効果を奏する。
【図面の簡単な説明】
【図１】レンズ鏡胴を突出させた断面図である。
【図２】第１レンズ群Ｌ１を分割してレンズ鏡胴を沈胴させた断面図である。
【図３】第１レンズ群Ｌ１を分割する過程を示す側面図である。
【図４】図３（ａ）に対応する上面図である。
【図５】図４の左方から見た正面図である。
【図６】デジタルカメラの構成を示すブロック図である。
【図７】従来の鏡胴において、レンズ鏡胴を突出させた断面図である。
【図８】従来の鏡胴において、レンズ鏡胴を沈胴させた断面図である。
【符号の説明】
Ｌ１  第１レンズ群
Ｌ１１，Ｌ１２  半レンズ群
Ｌ２  第２レンズ群
Ｌ３  第３レンズ群
Ｏ  光軸
１  撮像素子
２  ローパスフィルタ
２１，２２  鏡枠
２３，２４  回転レバー
２５  駆動部材
２６  支軸
２８  壁部
【図１】
2004341401.tif 000003
【図２】
2004341401.tif 000004
【図３】
2004341401.tif 000005
【図４】
2004341401.tif 000006
【図５】
2004341401.tif 000007
【図６】
2004341401.tif 000008
【図７】
2004341401.tif 000009
【図８】
2004341401.tif 000010